(57)【要約】【課題】無線送信装置及び無線受信装置における処理負荷を増大させずに、初回送信時と再送時との回線品質の変動を考慮した、適切なハイブリット自動再送要求（ＨＡＲＱ）方式の動作モードを選択可能とする。【解決手段】本発明は、無線送信装置が、ＨＡＲＱ方式を用いて無線受信装置に対するパケットを送信する無線通信システムであって、前記無線送信装置又は前記無線受信装置である無線通信端末の移動速度を取得する移動速度取得部と、前記移動速度取得部によって取得された前記移動速度に基づいて、前記ＨＡＲＱ方式で送信される情報ビット及び誤り訂正用ビットの送信方法を選択する選択部と、前記選択部によって選択された前記送信方法に従って、前記パケットの初回送信と再送とを行う送信部と、を具備する。【選択図】図５
2011082869.tif 000002
【特許請求の範囲】
【請求項１】
無線送信装置が、ハイブリット自動再送要求（ＨＡＲＱ）方式を用いて無線受信装置に対するパケットを送信する無線通信システムであって、
前記無線送信装置又は前記無線受信装置である無線通信端末の移動速度を取得する移動速度取得部と、
前記移動速度取得部によって取得された前記移動速度に基づいて、前記ＨＡＲＱ方式で送信される情報ビット及び誤り訂正用ビットの送信方法を選択する選択部と、
前記選択部によって選択された前記送信方法に従って、前記パケットの初回送信と再送とを行う送信部と、
を具備することを特徴とする無線通信システム。
【請求項２】
前記移動速度取得部によって取得された前記移動速度が第１の閾値以下である場合、前記選択部は、初回送信時において前記情報ビットを含むパケットを送信し、再送時において前記誤り訂正用ビットを含むパケットを送信する第１の送信方法を選択し、
前記移動速度取得部によって取得された前記移動速度が前記第１の閾値よりも大きい場合、前記選択部は、前記初回送信時と前記再送時との両方において前記情報ビット及び前記誤り訂正用ビットを含む同じパケットを送信する第２の送信方法を選択することを特徴とする請求項１に記載の無線通信システム。
【請求項３】
前記パケットの再送を行う時間間隔である再送間隔で、前記無線送信装置と前記無線受信装置との間の回線品質を測定する回線品質測定部を更に具備し、
前記移動速度取得部は、前記再送間隔よりも長い時間間隔で、前記移動速度を取得し、
前記選択部は、前記移動速度取得部によって取得された前記移動速度に加えて、前記回線品質測定部によって測定された前記回線品質の変動値に基づいて、前記送信方法を選択することを特徴とする請求項１に記載の無線通信システム。
【請求項４】
前記移動速度取得部によって取得された前記移動速度が第１の閾値以下である場合、前記選択部は、初回送信時において前記情報ビットを含むパケットを送信し、再送時において前記誤り訂正用ビットを含むパケットを送信する第１の送信方法を選択し、
前記移動速度取得部によって取得された前記移動速度が前記第１の閾値よりも大きく、かつ、前記回線品質の前記変動値が第２の閾値以下である場合、前記選択部は、前記第１の送信方法を選択し、
前記移動速度取得部によって取得された前記移動速度が前記第１の閾値よりも大きく、かつ、前記回線品質の前記変動値が前記第２の閾値よりも大きい場合、前記選択部は、前記選択部は、前記初回送信時と前記再送時との両方において前記情報ビット及び前記誤り訂正用ビットを含む同じパケットを送信する第２の送信方法を選択することを特徴とする請求項３に記載の無線通信システム。
【請求項５】
ハイブリット自動再送要求（ＨＡＲＱ）方式を用いて無線受信装置に対するパケットを送信する無線送信装置であって、
自装置又は前記無線受信装置である無線通信端末の移動速度を取得する移動速度取得部と、
前記移動速度取得部によって取得された前記移動速度に基づいて、前記ＨＡＲＱ方式で送信される情報ビット及び誤り訂正用ビットの送信方法を選択する選択部と、
前記選択部によって選択された前記送信方法に従って、前記パケットの初回送信及び再送を行う送信部と、
を具備することを特徴とする無線送信装置。
【請求項６】
ハイブリット自動再送要求（ＨＡＲＱ）方式を用いて無線送信装置から送信されたパケットを受信する無線受信装置であって、
前記無線送信装置又は自装置である無線通信端末の移動速度を取得する移動速度取得部と、
前記移動速度取得部によって取得された前記移動速度に基づいて、前記ＨＡＲＱ方式で送信される情報ビット及び誤り訂正用ビットの送信方法を選択する選択部と、
前記選択部によって選択された前記送信方法を前記無線送信装置に通知する通知部と、
を具備することを特徴とする無線受信装置。
【発明の詳細な説明】
【技術分野】
【０００１】
本発明は、無線送信装置がハイブリット自動再送要求（ＨＡＲＱ）方式を用いて無線受信装置に対するパケットを送信する無線通信システム、無線送信装置及び無線受信装置に関する。
【背景技術】
【０００２】
従来、ハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）方式を用いてパケットの再送制御を行う無線通信システムが知られている（例えば、非特許文献１）。このＨＡＲＱ方式では、有力な動作モードとして、ＨＡＲＱ−ＩＲ（Ｉｎｃｒｅｍｅｎｔａｌ  Ｒｅｄｕｎｄａｎｃｙ）モードとＨＡＲＱ−ＣＣ（Ｃｈａｓｅ  Ｃｏｍｂｉｎｉｎｇ）モードとが利用されている。
【０００３】
ＨＡＲＱ−ＣＣモードでは、無線送信装置が、初回送信時と再送時との両方において情報ビット及び誤り訂正用ビットを含む同じパケットを送信する。具体的には、無線送信装置は、図１２（ａ）に示すように、初回送信時に、情報ビットであるシステマチックビットＳと誤り訂正用ビットであるパリティビットＰ１とを含むパケットを無線受信装置に送信し、再送時に、初回送信時に送信したパケットと全く同じパケットを送信する。無線受信装置は、初回送信時に受信したパケットと再送時に受信したパケットとをシンボル合成することにより、ＳＩＮＲ（Ｓｉｇｎａｌ‐ｔｏ‐Ｉｎｔｅｒｆｅｒｅｎｃｅ‐ｐｌｕｓ‐Ｎｏｉｓｅ  Ｒａｔｉｏ）を改善する。
【０００４】
一方、ＨＡＲＱ−ＩＲモードでは、無線送信装置が、初回送信時において情報ビットを含むパケットを送信し、再送時において誤り訂正用ビットを含むパケットを送信する。具体的には、無線送信装置は、図１２（ｂ）に示すように、初回送信時に、情報ビットであるシステマチックビットＳのみから構成されるパケットを送信し、再送時に、誤り訂正用ビットであるパリティビットＰ１又はＰ２のみから構成されるパケットを送信する。無線受信装置は、再送時に受信したパリティビットＰ１又はＰ２を用いて、初回送信時に受信したシステマチックビットＳの誤り訂正を行うことによって、符号化利得を改善する。
【０００５】
また、以上のようなＨＡＲＱ方式の動作モードを適応的に選択することにより、システム全体のスループットを改善する無線通信システムも知られている。
【０００６】
例えば、特許文献１では、無線受信装置におけるＨＡＲＱ処理に最低限必要とされるＨＡＲＱバッファサイズに基づいて、ＨＡＲＱ方式の動作モードを選択する無線通信システムが記載されている。一般的に、ＨＡＲＱ−ＣＣモードに比べて、ＨＡＲＱ−ＩＲモードは、無線受信装置におけるＨＡＲＱ処理が複雑であり、必要とされるＨＡＲＱバッファサイズが大きい。そこで、特許文献１の無線通信システムでは、ＨＡＲＱ−ＩＲモードに必要なＨＡＲＱバッファサイズが無線受信装置のＨＡＲＱバッファサイズを超えない場合、ＨＡＲＱ−ＩＲモードを適用する。一方、ＨＡＲＱ−ＩＲモードに必要なＨＡＲＱバッファサイズが無線受信装置のＨＡＲＱバッファサイズを超え、かつ、ＨＡＲＱ−ＣＣモードに必要なＨＡＲＱバッファサイズが無線受信装置のＨＡＲＱバッファサイズを超えない場合、ＨＡＲＱ−ＣＣモードを適用する。
【０００７】
また、特許文献２では、初回送信時の回線品質に基づいて、ＨＡＲＱ方式の動作モードを選択する無線通信システムが記載されている。具体的には、特許文献２の無線通信システムでは、初回送信時の回線品質が所定の閾値より良い場合、ＨＡＲＱ−ＩＲモードを選択し、初回送信時の回線品質が所定の閾値より悪い場合、ＨＡＲＱ−ＣＣモードを選択する。
【先行技術文献】
【特許文献】
【０００８】
【特許文献１】米国特許出願公開第２００６／０２００７２２号明細書
【特許文献２】特開２００４−２５３８２８号公報
【非特許文献】
【０００９】
【非特許文献１】P.  Frenger,  S.  Parkvall,  and  E.  Dahlman,  "Performance  comparison  of  HARQ  with  Chase  combining  and  incremental  redundancy  for  HSDPA,"  Proc.  VTC2001-Fall,  Oct.  2001.
【発明の概要】
【発明が解決しようとする課題】
【００１０】
しかしながら、特許文献１又は特許文献２の無線通信システムでは、適切なＨＡＲＱ方式の動作モードを選択することができない場合があり、システム全体のスループットの改善効果が低いというという問題点があった。
【００１１】
具体的には、特許文献１の無線通信システムでは、無線受信装置におけるＨＡＲＱバッファサイズを十分に大きく用意すると、ＨＡＲＱ−ＣＣモードが選択されずに、ＨＡＲＱ−ＩＲモードばかりが選択されることになる。近年では、ハードウェアの発展によりサイズの大きいＨＡＲＱバッファを簡単に容易できることから、ＨＡＲＱバッファサイズの重要性は低い。したがって、特許文献１の無線通信システムでは、ＨＡＲＱ−ＣＣモードが好ましい場合においても、ＨＡＲＱ−ＩＲモードが選択されてしまい、システム全体のスループットの改善効果が低かった。
【００１２】
また、特許文献２の無線通信システムでは、初回送信時の回線品質が良い場合、再送時の回線品質が悪くても、初回送信時の回線品質に従ってＨＡＲＱ−ＩＲモードが選択される。しかしながら、かかる場合、再送時に受信したパリティビットの活用による符号化利得の改善効果を期待できないので、ＨＡＲＱ−ＩＲモードの適用による符号化利得の改善効果は少ない。また、ＨＡＲＱ−ＩＲモードは、信号処理が複雑であることから、上記場合には、ＨＡＲＱ−ＩＲモードではなく、ＨＡＲＱ−ＣＣモードを適用した方が望ましい。
【００１３】
さらに、特許文献２の無線通信システムでは、初回送信時にも再送時にも回線品質が悪い場合、初回送信時の回線品質に従ってＨＡＲＱ−ＣＣモードが選択される。しかしながら、かかる場合、ＨＡＲＱ−ＣＣモードによるＳＩＮＲの改善効果に比べて、ＨＡＲＱ−ＩＲモードによる符号化利得の方が期待できる。このため、上記場合には、ＨＡＲＱ−ＣＣモードではなく、ＨＡＲＱ−ＩＲモードを適用した方が望ましい。
【００１４】
このように、特許文献２の無線通信システムでは、初回送信時と再送時との回線品質の変動が考慮されないため、適切なＨＡＲＱ方式の動作モードを選択することができず、システム全体のスループットの改善効果が低かった。
【００１５】
本発明は、かかる点に鑑みてなされたものであり、無線送信装置及び無線受信装置における処理負荷を増大させずに、初回送信時と再送時との回線品質の変動を考慮した適切なＨＡＲＱ方式の動作モードを選択可能な無線通信システム、無線送信装置及び無線受信装置を提供することを目的とする。
【課題を解決するための手段】
【００１６】
本発明の無線通信システムは、無線送信装置が、ハイブリット自動再送要求（ＨＡＲＱ）方式を用いて無線受信装置に対するパケットを送信する無線通信システムであって、前記無線送信装置又は前記無線受信装置である無線通信端末の移動速度を取得する移動速度取得部と、前記移動速度取得部によって取得された前記移動速度に基づいて、前記ＨＡＲＱ方式で送信される情報ビット及び誤り訂正用ビットの送信方法を選択する選択部と、前記選択部によって選択された前記送信方法に従って、前記パケットの初回送信と再送とを行う送信部と、具備する。
【００１７】
この構成によれば、無線通信端末の移動速度に基づいてＨＡＲＱ方式で送信される情報ビット及び誤り訂正用ビットの送信方法を選択する。したがって、初回送信時と再送時との回線品質の変動を無線通信端末の移動速度を目安として判断でき、無線送信装置及び無線受信装置における処理負荷を増大させずに、ＨＡＲＱ方式で送信される情報ビット及び誤り訂正用ビットの適切な送信方法を簡単に選択することができる。
【００１８】
また、本発明は、上記無線通信システムにおいて、前記移動速度取得部によって取得された前記移動速度が第１の閾値以下である場合、前記選択部は、初回送信時において前記情報ビットを含むパケットを送信し、再送時において前記誤り訂正用ビットを含むパケットを送信する第１の送信方法を選択し、前記移動速度取得部によって取得された前記移動速度が前記第１の閾値よりも大きい場合、前記選択部は、前記初回送信時と前記再送時との両方において前記情報ビット及び前記誤り訂正用ビットを含む同じパケットを送信する第２の送信方法を選択してもよい。
【００１９】
この構成によれば、無線通信端末の移動速度が第１の閾値以下である場合、符号化利得が高い第１の送信方法を選択し、無線通信端末の移動速度が第１の閾値よりも大きい場合、ＳＩＮＲの改善効果が高い第２の送信方法を選択する。したがって、初回送信時と再送時との回線品質の変動が少ない場合には、符号化利得を期待でき、初回送信時と再送時との回線品質の変動が大きい場合には、ＳＩＮＲの改善効果を期待できる。この結果、初回送信時と再送時と回線品質の変動を考慮した最適な送信方法を選択できるので、システム全体でのスループットの改善効果を得ることができる。
【００２０】
また、本発明は、上記無線通信システムにおいて、前記パケットの再送を行う時間間隔である再送間隔で、前記無線送信装置と前記無線受信装置との間の回線品質を測定する回線品質測定部を更に具備し、前記移動速度取得部は、前記再送間隔よりも長い時間間隔で、前記移動速度を取得し、前記選択部は、前記移動速度取得部によって取得された前記移動速度に加えて、前記回線品質測定部によって測定された前記回線品質の変動値に基づいて、前記送信方法を選択してもよい。
【００２１】
この構成によれば、再送間隔よりも長い時間間隔で取得される無線通信端末の移動速度に加えて、再送間隔で測定された回線品質の変動値に基づいて、上記送信方法を選択する。したがって、無線通信端末の移動速度が初回送信時と再送時との回線品質の実際の変動値に比例しない場合（例えば、見通し環境下での高速移動時など、無線通信端末の移動速度が速くても回線品質の変動値が低い場合）においても、実際の変動値に即した適切な送信方法を選択することができる。
【００２２】
また、本発明は、上記無線通信システムにおいて、前記移動速度取得部によって取得された前記移動速度が第１の閾値以下である場合、前記選択部は、初回送信時において前記情報ビットを含むパケットを送信し、再送時において前記誤り訂正用ビットを含むパケットを送信する第１の送信方法を選択し、前記移動速度取得部によって取得された前記移動速度が前記第１の閾値よりも大きく、かつ、前記回線品質の前記変動値が第２の閾値以下である場合、前記選択部は、前記第１の送信方法を選択し、前記移動速度取得部によって取得された前記移動速度が前記第１の閾値よりも大きく、かつ、前記回線品質の前記変動値が前記第２の閾値よりも大きい場合、前記選択部は、前記選択部は、前記初回送信時と前記再送時との両方において前記情報ビット及び前記誤り訂正用ビットを含む同じパケットを送信する第２の送信方法を選択してもよい。
【００２３】
この構成によれば、無線通信端末の移動速度が第１の閾値よりも大きくても、回線品質の変動値が第２の閾値以下である場合、符号化利得が高い第１の送信方法を選択する。したがって、無線通信端末の移動速度が初回送信時と再送時との回線品質の実際の変動値に比例しない場合に、実際の変動値を考慮した最適な送信方法を選択できるので、システム全体でのスループットの改善効果を得ることができる。
【００２４】
本発明の無線送信装置は、ハイブリット自動再送要求（ＨＡＲＱ）方式を用いて無線受信装置に対するパケットを送信する無線送信装置であって、自装置又は前記無線受信装置である無線通信端末の移動速度を取得する移動速度取得部と、前記移動速度取得部によって取得された前記移動速度に基づいて、前記ＨＡＲＱ方式で送信される情報ビット及び誤り訂正用ビットの送信方法を選択する選択部と、前記選択部によって選択された前記送信方法に従って、前記パケットの初回送信及び再送を行う送信部と、を具備する。
【００２５】
本発明の無線受信装置は、ハイブリット自動再送要求（ＨＡＲＱ）方式を用いて無線送信装置から送信されたパケットを受信する無線受信装置であって、前記無線送信装置又は自装置である無線通信端末の移動速度を取得する移動速度取得部と、前記移動速度取得部によって取得された前記移動速度に基づいて、前記ＨＡＲＱ方式で送信される情報ビット及び誤り訂正用ビットの送信方法を選択する選択部と、前記選択部によって選択された前記送信方法を前記無線送信装置に通知する通知部と、を具備する。
【発明の効果】
【００２６】
本発明によれば、無線送信装置及び無線受信装置における処理負荷を増大させずに、初回送信時と再送時との回線品質の変動を考慮した適切なＨＡＲＱ方式の動作モードを選択可能な無線通信システム、無線送信装置及び無線受信装置を提供することができる。
【図面の簡単な説明】
【００２７】
【図１】本発明の第１の実施形態に係る無線通信システムの概略構成図である。
【図２】本発明の第１の実施形態に係る無線送信装置の機能構成図である。
【図３】本発明の第１の実施形態に係る再送制御を示す図である。
【図４】本発明の第１の実施形態に係る無線受信装置の機能構成図である。
【図５】本発明の第１の実施形態に係る無線通信システムの動作を示すフローチャートである。
【図６】本発明の変形例１に係る無線送信装置の機能構成図である。
【図７】本発明の変形例１に係る無線受信装置の機能構成図である。
【図８】本発明の第２の実施形態に係る無線送信装置の機能構成図である。
【図９】本発明の第２の実施形態に係る無線受信装置の機能構成図である。
【図１０】本発明の第２の実施形態に係る無線通信システムの動作を示すフローチャートである。
【図１１】本発明の変形例２に係る無線受信装置の機能構成図である。
【図１２】ＨＡＲＱ方式の動作モードを示す図である。
【発明を実施するための形態】
【００２８】
以下、本発明の実施の形態について説明する。なお、以下の図面の記載において、同一または類似の部分には、同一または類似の符号を付している。
【００２９】
［第１の実施形態］
＜無線通信システムの全体概略構成＞
図１は、第１の実施形態に係る無線通信システムの構成図である。図１に示すように、無線通信システムは、無線送信装置１０と無線受信装置２０とから構成されている。図１に示す無線通信システムでは、無線送信装置１０が、ハイブリット自動再送要求（ＨＡＲＱ）方式を用いて無線受信装置２０に対するパケットを送信する。
【００３０】
また、無線送信装置１０は、ＨＡＲＱ方式で用いられる動作モード（情報ビット及び誤り訂正用ビットの送信方法）に従って、無線受信装置２０に対するパケットの初回送信と再送とを行う。具体的には、無線送信装置１０は、初回送信時と前記再送時との両方において情報ビット及び誤り訂正用ビットを含む同じパケットを送信するＨＡＲＱ−ＣＣモード（第２の送信方法）又は、初回送信時において情報ビットを含むパケットを送信し、再送時において誤り訂正用ビットを含むパケットを送信するＨＡＲＱ−ＩＲモード（第１の送信方法）により、無線受信装置２０に対するパケットの初回送信と再送とを行う。
【００３１】
ここで、無線送信装置１０とは、下りリンクでは無線通信端末に対してパケットを送信する無線基地局であり、上りリンクでは無線基地局に対してパケットを送信する無線通信端末であるものとする。また、無線受信装置２０とは、下りリンクでは無線基地局からのパケットを受信する無線通信端末であり、上りリンクでは無線通信端末からのパケットを受信する無線基地局であるものとする。
【００３２】
なお、無線送信装置１０及び無線受信装置２０の数は、図１に示す数に限られるものではない。例えば、下りリンクにおいて複数の無線送信装置１０（無線基地局）が１つ以上の無線受信装置２０（無線通信端末）との間でパケットの再送制御を行うことも可能であるし、上りリンクにおいて複数の無線送信装置１０（無線通信端末）が１つ以上の無線受信装置２０（無線基地局）に対してパケットを送信することも可能である。また、無線送信装置１０のアンテナ１１及び無線受信装置２０のアンテナ２１の数は、図１に示す数に限られるものではない。複数のアンテナ１１及び複数のアンテナ２１が設けられる場合、無線送信装置１０と無線受信装置との間でＭＩＭＯ方式の通信が行われてもよい。
【００３３】
次に、第１の実施形態に係る無線通信システムの機能構成について説明する。具体的には、図２乃至４を参照し、無線通信システムを構成する無線送信装置１０及び無線受信装置２０の機能構成について説明する。
【００３４】
＜無線送信装置１０の機能構成＞
図２は、第１の実施形態に係る無線送信装置の機能構成図である。図２に示すように、無線送信装置１０は、アンテナ１１、データ部１２、符号化部１３、送信部１４、移動速度取得部１５、再送制御部１６を具備する。
【００３５】
データ部１２は、初回送信パケット又は再送パケットとして送信するデータを生成する。このデータは、ユーザトラフィックデータなどの情報ビットである。また、データ部１２は、後述する再送制御部１６からの通知に従って、生成したデータを符号化部１３に供給する。具体的には、再送制御部１６からパケットの再送が不要であることが通知された場合、データ部１２は、初回送信用の新たなデータを符号化部１３に供給する。一方、再送制御部１６からパケットの再送が必要であることが通知された場合、データ部１２は、再送用のデータを符号化部１３に供給する。
【００３６】
符号化部１３は、データ部１２より供給されたデータに対して、チャネル符号化処理及び変調処理を行う。具体的には、符号化部１３は、データ部１２より供給されたデータ（情報ビット）自身であるシステマチックビットＳと、誤り訂正用ビットであるパリティビットＰとを生成する。ここで、パリティビットＰとは、データ部１２より供給されたデータに符号化を行うことによって得られるものである。
【００３７】
また、符号化部１３は、生成したシステマチックビットＳとパリティビットＰとから、再送制御部１６から通知されるＨＡＲＱ方式の動作モードに従った送信パケットを生成する。具体的には、符号化部１３は、再送制御部１６からＨＡＲＱ−ＣＣモードが通知された場合、システマチックビットＳとパリティビットＰとを含む送信パケットを生成する。例えば、図１２（ａ）に示すように、符号化部１３は、初回送信時に、システマチックビットＳとパリティビットＰ１とを含む送信パケットを生成する。また、符号化部１３は、１、２回目の再送時においても、初回送信時と全く同じ送信パケットを生成する。
【００３８】
一方、符号化部１３は、再送制御部１６からＨＡＲＱ−ＩＲモードが通知された場合、システマチックビットＳを含む送信パケット又はパリティビットＰを含む送信パケットを生成する。例えば、図１２（ｂ）に示すように、符号化部１３は、初回送信時に、システマチックビットＳのみを含む送信パケットを生成する。また、符号化部１３は、１回目の再送時には、パリティビットＰ１のみを含む送信パケットを生成し、２回目の再送時には、パリティビットＰ２のみを含む送信パケットを生成する。
【００３９】
また、符号化部１３は、生成した送信パケットに対して変調処理を行い、信号を送信部１４に供給する。送信部１４は、符号化部１３より供給された信号、パイロット信号、不図示の制御信号(データ信号の復調に必要な情報、同期信号、報知信号等)を多重し、多重した信号をアンテナ１１から送信する。
【００４０】
なお、上述のチャネル符号化処理及び変調処理には、ＡＭＣ（Ａｄａｐｔｉｖｅ  Ｍｏｄｕｌａｔｉｏｎ  ａｎｄ  ｃｈａｎｎｅｌ  Ｃｏｄｅｉｎｇ）方式が用いられてもよい。この場合、チャネル符号化率及びデータ変調方式は、例えば、無線受信装置２０から報告されたチャネル品質（ＣＱＩ等で表現される）に基づいて、適応的に変更される。
【００４１】
移動速度取得部１５は、無線通信端末の移動速度を取得し、再送制御部１６に通知する。具体的には、移動速度取得部１５は、下りリンクにおいては無線受信装置２０である無線通信端末の移動速度を所定の時間間隔で取得し、上りリンクにおいては自装置１０である無線通信端末の移動速度を所定の時間間隔で取得する。
【００４２】
ここで、所定の時間間隔とは、無線送信装置１０から無線受信装置２０へのパケットの再送間隔Ｔａ（例えば、数ミリ秒）よりも長い時間間隔（例えば、数秒）である。例えば、図３に示すように、移動速度取得部１５は、再送間隔Ｔａよりも長い時間間隔である移動速度取得間隔Ｔｂで、無線通信端末の移動速度を取得する。
【００４３】
また、無線通信端末の移動速度とは、例えば、無線通信端末が備えるＧＰＳ（Ｇｌｏｂａｌ  Ｐｏｓｉｔｉｏｎｉｎｇ  Ｓｙｓｔｅｍ）機能により周期的に測定された位置情報によって計算されるものである。この場合、移動速度取得部１５は、下りリンクでは、無線受信装置２０（無線通信端末）で計算された移動速度を取得してもよいし、或いは、無線受信装置２０（無線通信端末）から取得した位置情報によって移動速度を計算してもよい。また、移動速度取得部１５は、上りリンクでは、自装置１０（無線通信端末）のＧＰＳ機能により周期的に測定された位置情報によって移動速度を計算する。
【００４４】
再送制御部１６は、無線受信装置２０から通知された送達確認信号（ＡＣＫ／ＮＡＣＫ）と、移動速度取得部１５で取得された無線通信端末の移動速度とに基づいて、パケットの再送制御を行う。ここで、送達確認信号とは、無線受信装置２０における受信データの誤り検出結果を示すものである。受信データに誤りが無い場合、無線受信装置２０から無線送信装置１０に肯定応答（ＡＣＫ）が通知され、受信データに誤りが有る場合、無線受信装置２０から無線送信装置１０に否定応答（ＮＡＣＫ）が通知される。
【００４５】
再送制御部１６は、無線受信装置２０から肯定応答（ＡＣＫ）が通知された場合、データ部１２に対して、パケットの再送が不要であることを通知する。一方、再送制御部１６は、無線受信装置２０から否定応答（ＮＡＣＫ）が通知された場合、データ部１２に対して、パケットの再送が必要であることを通知する。
【００４６】
また、再送制御部１６は、移動速度取得部１５から通知された無線通信端末の移動速度に基づいて、ＨＡＲＱ方式の動作モードを選択し、選択されたＨＡＲＱ方式の動作モードを符号化部１３に通知する。具体的には、再送制御部１６は、移動速度取得部１５によって取得された移動速度が閾値Ｔｈ１（第１の閾値）以下である場合、ＨＡＲＱ−ＩＲモードを選択する。一方、再送制御部１６は、移動速度取得部１５によって取得された移動速度が閾値Ｔｈ１より大きい場合、ＨＡＲＱ−ＣＣモードを選択する。ここで、閾値Ｔｈ１は、キャリア周波数や再送時間間隔に基づいて計算される。キャリア周波数又は再送時間間隔の増加につれて、閾値Ｔｈ１は小さくなる。
【００４７】
＜無線受信装置２０の機能構成＞
図４は、第１の実施形態に係る無線受信装置の機能構成図である。図４に示すように、無線受信装置２０は、アンテナ２１、受信部２２、判定部２３を具備する。受信部２２は、無線送信装置１０から受信信号について復調処理を行い、受信データに変換する。
【００４８】
判定部２３は、受信データについての誤り検出処理を行う。判定部２３は、誤り検出結果を示す送達確認信号（ＡＣＫ／ＮＡＣＫ）を、無線送信装置１０に通知する。
【００４９】
＜無線通信システムの動作＞
次に、以上のように構成された無線通信システムにおいて、無線送信装置１０がＨＡＲＱ方式の動作モードを選択する動作について説明する。図５は、第１の実施形態に係るＨＡＲＱ方式の動作モードの選択動作を示すフローチャートである。なお、本動作は、無線通信端末の移動速度が取得される毎に、すなわち、図３に示す移動速度取得間隔Ｔｂで開始されるものとする。
【００５０】
再送制御部１６は、無線通信端末の移動速度が閾値Ｔｈ１以下であるか否かを判断する（ステップＳ１０１）。
【００５１】
無線通信端末の移動速度が閾値Ｔｈ１以下である場合（ステップＳ１０１：Ｙｅｓ）、再送制御部１６は、ＨＡＲＱ−ＩＲモードを選択する（ステップＳ１０２）。ここで、無線通信端末の移動速度が閾値Ｔｈ１以下である場合、初回送信時と再送時との回線品質の変動が緩やかになり、初回送信時と再送時との回線品質はほぼ同等となると推定される。
【００５２】
例えば、図３においては、時間Ｔ１における無線通信端末の移動速度が閾値Ｔｈ１以下である場合、時間Ｔ１（初回送信時）の回線品質と、時間Ｔ２〜Ｔｎ（再送時）の回線品質とは、ほぼ同等になると推定される。この場合、ＨＡＲＱ−ＣＣモードによるＳＩＮＲの改善効果に比べて、ＨＡＲＱ−ＩＲモードの符号化利得の方が期待できる。したがって、時間Ｔ１における無線通信端末の移動速度が閾値Ｔｈ１以下である場合、再送制御部１６は、時間Ｔ１〜Ｔｎ（適用期間Ｔｃ）に適用するＨＡＲＱ方式の動作モードとして、ＨＡＲＱ−ＩＲモードを選択する。
【００５３】
一方、無線通信端末の移動速度が閾値Ｔｈ１より大きい場合（ステップＳ１０１：Ｎｏ）、再送制御部１６は、ＨＡＲＱ−ＣＣモードを選択する（ステップＳ１０３）。ここで、無線通信端末の移動速度が閾値Ｔｈ１より大きい場合、初回送信時と再送時との回線品質の変動が激しくなり、初回送信時と再送時との回線品質は著しく異なると推定される。
【００５４】
例えば、図３においては、時間Ｔ１における無線通信端末の移動速度が閾値Ｔｈ１より大きい場合、時間Ｔ１（初回送信時）の回線品質と、時間Ｔ２〜Ｔｎ（再送時）の回線品質とは、著しく異なると推定される。時間Ｔ１の回線品質に比べて、時間Ｔ２〜Ｔｎの回線品質が著しく良くなる場合、ＨＡＲＱ−ＩＲモードによる符号化利得に比べて、ＨＡＲＱ−ＣＣモードによるＳＩＮＲ改善効果の方が期待できる。また、時間Ｔ１の回線品質に比べて、時間Ｔ２〜Ｔｎの回線品質が著しく悪くなる場合、ＨＡＲＱ−ＩＲモード及びＨＡＲＱ−ＣＣモードのいずれでも再送パケットの活用効果を期待できないため、ＨＡＲＱ−ＩＲモードよりも信号処理が簡単なＨＡＲＱ−ＣＣモードを選択することが好ましい。したがって、時間Ｔ１における無線通信端末の移動速度が閾値Ｔｈ１よりも大きい場合、再送制御部１６は、時間Ｔ１〜Ｔｎ（適用期間Ｔｃ）に適用するＨＡＲＱ方式の動作モードとして、ＨＡＲＱ−ＣＣモードを選択する。
【００５５】
＜作用・効果＞
第１の実施形態に係る無線通信システムによれば、無線通信端末の移動速度に基づいて、ＨＡＲＱ方式で用いられる動作モード（情報ビット及び誤り訂正用ビットの送信方法）を選択する。したがって、初回送信時と再送時との回線品質の変動を無線通信端末の移動速度を目安として推定でき、無線送信装置及び無線受信装置における処理負荷を増大させずに、適切な動作モードを簡単に選択することができる。
【００５６】
ここで、初回送信時と再送時との回線品質の変動を、数ミリ秒間隔の再送間隔Ｔａで測定される回線品質に基づいて実際に計算する場合、数ミリ秒間隔での計算処理と動作モードの選択処理に伴い、無線送信装置及び無線受信装置における処理負荷が増大する。さらに、数ミリ秒間隔での計算結果の通知に伴い、多くの無線周波数リソースが消費されてしまう。第１の実施形態の無線通信システムによれば、数秒間隔の移動速度取得間隔Ｔｂで取得される無線通信端末の移動速度に基づいて、その数秒間における回線品質の変動を推定できるので、無線送信装置及び無線受信装置における処理負荷を増大させずに、適切な動作モードを選択できる。
【００５７】
また、第１の実施形態に係る無線通信システムによれば、無線通信端末の移動速度が閾値Ｔｈ１（第１の閾値）以下である場合、符号化利得が高いＨＡＲＱ−ＩＲモード（第１の送信方法）を選択し、無線通信端末の移動速度が閾値Ｔｈ１よりも大きい場合、ＳＩＮＲの改善効果が高いＨＡＲＱ−ＣＣモード（第２の送信方法）を選択する。したがって、初回送信時と再送時との回線品質の変動が少ない場合には、符号化利得を期待でき、初回送信時と再送時との回線品質の変動が大きい場合には、ＳＩＮＲの改善効果を期待できる。この結果、初回送信時と再送時と回線品質の変動を考慮した最適な送信方法を選択できるので、システム全体でのスループットの改善効果を得ることができる。
【００５８】
［変形例１］
次に、本発明の第１の実施形態の変形例１について、第１の実施形態との相違点を中心に説明する。第１の実施形態に係る無線通信システムでは、無線送信装置１０が、無線通信端末の移動速度に基づいてＨＡＲＱ方式の動作モードを選択した。変形例１に係る無線通信システムでは、無線受信装置２０が、無線通信端末の移動速度に基づいてＨＡＲＱ方式の動作モードを選択する点で、第１の実施形態と異なる。
【００５９】
＜無線送信装置１０の機能構成＞
図６は、変形例１に係る無線送信装置の機能構成図である。図６に示すように、変更例１に係る無線送信装置１０は、第１の実施形態に係る無線送信装置１０（図２参照）とは異なり、移動速度取得部１５を備えていない。
【００６０】
再送制御部１６は、無線受信装置２０から通知された送達確認信号（ＡＣＫ／ＮＡＣＫ）と、無線受信装置２０から通知された動作モード情報とに基づいて、パケットの再送制御を行う。ここで、動作モード情報とは、無線通信端末の移動速度に基づくＨＡＲＱ方式の動作モードの選択結果を示すものである。
【００６１】
具体的には、再送制御部１６は、無線受信装置２０から通知された送達確認信号（ＡＣＫ／ＮＡＣＫ）に応じて、データ部１２に対して、パケットの再送の要否を通知する。また、再送制御部１６は、無線受信装置２０から通知された動作モード情報に応じて、無線受信装置２０で選択されたＨＡＲＱ方式の動作モードを符号化部１３に通知する。
【００６２】
＜無線受信装置２０の機能構成＞
図７は、変形例１に係る無線受信装置の機能構成図である。図７に示すように、変更例１に係る無線受信装置２０は、第１の実施形態に係る無線受信装置２０（図４参照）とは異なり、移動速度取得部２４を備える。
【００６３】
移動速度取得部２４は、無線通信端末の移動速度を取得し、判定部２３に通知する。具体的には、移動速度取得部２４は、下りリンクにおいては自装置２０である無線通信端末の移動速度を所定の時間間隔で取得し、上りリンクにおいては無線送信装置１０である無線通信端末の移動速度を所定の時間間隔で取得する。ここで、上述のように、所定の時間間隔とは、例えば、図３の移動速度取得間隔Ｔｂである。また、移動速度取得部２４は、下りリンクでは、例えば、自装置２０（無線通信端末）のＧＰＳ機能により周期的に測定された位置情報によって移動速度を計算してもよい。また、移動速度取得部２４は、上りリンクでは、例えば、無線送信装置１０（無線通信端末）で計算された移動速度を取得してもよいし、或いは、無線送信装置１０（無線通信端末）から取得した位置情報によって移動速度を計算してもよい。
【００６４】
判定部２３は、移動速度取得部２４から通知された無線通信端末の移動速度に基づいて、ＨＡＲＱ方式の動作モードを選択する。判定部２３は、選択されたＨＡＲＱ方式の動作モードを、動作モード情報として無線送信装置１０に通知する。
【００６５】
変更例１に係る無線通信システムにおいて、無線受信装置２０の判定部２３がＨＡＲＱ方式の動作モードを選択する動作については、図５に示す動作と同様であるため、説明を省略する。
【００６６】
［第２の実施形態］
次に、本発明の第２の実施形態について、第１の実施形態との相違点を中心に説明する。第１の実施形態に係る無線通信システムでは、無線送信装置１０が、無線通信端末の移動速度に基づいてＨＡＲＱ方式の動作モードを選択した。第２の実施形態に係る無線通信システムでは、無線送信装置１０が、無線通信端末の移動速度に加えて回線品質変動情報に基づいて、ＨＡＲＱ方式の動作モードを選択する点で、第１の実施形態と異なる。
【００６７】
＜無線送信装置１０の機能構成＞
図８は、第２の実施形態に係る無線送信装置の機能構成図である。図８に示すように、第２の実施形態に係る無線送信装置１０の再送制御部１６は、移動速度取得部１５から通知された無線通信端末の移動速度に加えて、無線受信装置２０から通知された回線品質変動情報（後述）に基づいて、ＨＡＲＱ方式の動作モードを選択する。具体的には、再送制御部１６は、移動速度取得部１５によって取得された移動速度が閾値Ｔｈ１以下の場合、ＨＡＲＱ−ＩＲモードを選択する。一方、再送制御部１６は、移動速度取得部１５によって取得された移動速度が閾値Ｔｈ１より大きく、かつ、回線品質変動情報によって示される回線品質の変動値が閾値Ｔｈ２以下である場合、ＨＡＲＱ−ＩＲモードを選択する。また、再送制御部１６は、移動速度取得部１５によって取得された移動速度が閾値Ｔｈ１より大きく、かつ、回線品質変動情報によって示される回線品質の変動値が閾値Ｔｈ２より大きい場合、ＨＡＲＱ−ＣＣモードを選択する。
【００６８】
ここで、閾値Ｔｈ２は、そのパケットの再送間隔Ｔａにおいて適用されているＭＣＳ（Ｍｏｄｕｌａｔｉｏｎ  ａｎｄ  Ｃｏｄｉｎｇ  Ｓｃｈｅｍｅ）のモードに従って決定される。具体的には、多値変調処理における変調多値数又はチャネル符号化処理における符号化率が増加するに従って、閾値Ｔｈ２は大きくなる。
【００６９】
＜無線受信装置２０の機能構成＞
図９は、第２の実施形態に係る無線受信装置の機能構成図である。図９に示すように、第２の実施形態に係る無線受信装置２０は、第１の実施形態に係る無線受信装置２０（図４参照）とは異なり、回線品質測定部２５を備える。
【００７０】
回線品質測定部２５は、無線送信装置１０と無線受信装置２０との間の回線品質を再送間隔Ｔａで測定する。また、回線品質測定部２５は、再送間隔Ｔａで測定される回線品質に基づいて回線品質変動情報を計算する。
【００７１】
ここで、再送間隔Ｔａで測定される回線品質とは、例えば、無線送信装置１０から送信された信号のＳＩＮＲなどによって測定されるものである。また、回線品質変動情報とは、再送間隔Ｔａで測定される回線品質の変動値を示す情報である。回線品質測定部２５は、例えば、以下の方法により回線品質の変動値を計算する。
（１）前回送信時（例えば、図３の時間Ｔ１）のためのスケジューリングが行われるタイミングで測定された信号の受信品質と、今回送信時（例えば、図３の時間Ｔ２）のためのスケジューリングが行われるタイミングで測定された信号の受信品質と、の差によって、回線品質の変動値を計算する方法。
（２）前回送信時（例えば、図３の時間Ｔ１）のタイミングで測定された信号（例えば、パイロットチャネルなど）の受信品質と、例えば、自己回帰移動平均（ＡＲＭＡ：ＡｕｔｏＲｅｇｒｅｓｓｉｖｅ  Ｍｏｖｉｎｇ  Ａｖｅｒａｇｅ）モデルを用いて予測された今回送信時（例えば、図３の時間Ｔ２）のタイミングの受信品質と、の差によって、回線品質の変動値を計算する方法。
【００７２】
回線品質測定部２５は、以上のように計算された回線品質の変動値を示す回線品質変動情報を、再送間隔Ｔａで無線送信装置１０に通知する。
【００７３】
＜無線通信システムの動作＞
次に、以上のように構成された無線通信システムにおいて、無線送信装置１０がＨＡＲＱ方式の動作モードを選択する動作について説明する。図１０は、第２の実施形態に係るＨＡＲＱ方式の動作モードの選択動作を示すフローチャートである。
【００７４】
なお、本動作は、無線通信端末の移動速度が取得される毎に、すなわち、図３に示す移動速度取得間隔Ｔｂで開始されるものとする。さらに、第２の実施形態において、本動作は、無線受信装置２０から再送間隔Ｔａで通知される回線品質の変動値が、移動速度取得部１５で取得された無線通信端末の移動速度に比例しない場合にも、再送制部１６で開始されるものとする。具体的には、再送制御部１６は、無線受信装置２０から通知された回線品質の変動値に基づいて導出されたドップラー周波数情報によって、無線通信端末の移動速度を再送間隔Ｔａで推定する。再送制御部１６は、再送間隔Ｔａで推定された無線通信端末の移動速度と、移動速度取得部１５において移動速度取得間隔Ｔｂで取得された無線通信端末の移動速度と、の差が所定の閾値以上である場合、回線品質の変動値が無線通信端末の移動速度に比例しないと判断し、本動作を開始するものとする。
【００７５】
したがって、第１の実施形態においては、図３の時間Ｔ１〜Ｔｎ（適用期間Ｔｃ）において、ＨＡＲＱの動作モードは変更されなかったが、第２の実施形態においては、無線受信装置２０から再送間隔Ｔａで通知される回線品質の変動値が、移動速度取得部１５で取得された無線通信端末の移動速度に比例しない場合には、図３の時間Ｔ１〜Ｔｎ（適用期間Ｔｃ）の途中の時間（例えば、時間Ｔ３）においても、ＨＡＲＱの動作モードは、本動作によって変更され得る。
【００７６】
再送制御部１６は、無線通信端末の移動速度が閾値Ｔｈ１以下であるか否かを判断する（ステップＳ２０１）。
【００７７】
無線通信端末の移動速度が閾値Ｔｈ１以下である場合（ステップＳ２０１：Ｙｅｓ）、再送制御部１６は、ＨＡＲＱ−ＩＲモードを選択する（ステップＳ２０２）。ここで、無線通信端末の移動速度が閾値Ｔｈ１以下である場合、第１の実施形態において述べたように、初回送信時と再送時との回線品質の変動が緩やかになり、初回送信時と再送時との回線品質はほぼ同等となると推定される。
【００７８】
例えば、図３においては、時間Ｔ１における無線通信端末の移動速度が閾値Ｔｈ１以下である場合、時間Ｔ１（初回送信時）の回線品質と、時間Ｔ２〜Ｔｎ（再送時）の回線品質とは、ほぼ同等になると推定される。この場合、ＨＡＲＱ−ＣＣモードによるＳＩＮＲの改善効果に比べて、ＨＡＲＱ−ＩＲモードの符号化利得の方が期待できる。したがって、時間Ｔ１における無線通信端末の移動速度が閾値Ｔｈ１以下である場合、再送制御部１６は、ＨＡＲＱ方式の動作モードとして、ＨＡＲＱ−ＩＲモードを選択する。
【００７９】
一方、無線通信端末の移動速度が閾値Ｔｈ１より大きい場合（ステップＳ２０１：Ｎｏ）、再送制御部１６は、回線品質変動情報によって示される回線品質の変動値が閾値Ｔｈ２以下であるか否かを判断する（ステップＳ２０３）。
【００８０】
回線品質の変動値が閾値Ｔｈ２以下である場合（ステップＳ２０３：Ｙｅｓ）、再送制御部１６は、ＨＡＲＱ−ＩＲモードを選択する（ステップ２０２）。ここで、無線受信装置２０から通知された回線品質情報が閾値Ｔｈ２以下である場合、無線受信装置２０において再送間隔Ｔａで測定される回線品質の変動が少なく、再送間隔Ｔａで測定される回線品質がほぼ同等となると推定される。
【００８１】
このように、無線通信端末の移動速度が速くても回線品質の変動が低い場合（例えば、見通し環境下での高速移動時など）、ＨＡＲＱ−ＣＣモードによるＳＩＮＲの改善効果に比べて、ＨＡＲＱ−ＩＲモードの符号化利得の方が期待できる。したがって、無線通信品質の移動速度が閾値Ｔｈ１より大きくても、回線品質変動情報が閾値Ｔｈ２以下である場合、再送制御部１６は、ＨＡＲＱ方式の動作モードとして、ＨＡＲＱ−ＩＲモードを選択する。
【００８２】
一方、回線品質の変動値が閾値Ｔｈ２より大きい場合（ステップＳ２０３：Ｎｏ）、再送制御部１６は、ＨＡＲＱ−ＣＣモードを選択する（ステップ２０４）。ここで、無線受信装置２０から通知された回線品質の変動値が閾値Ｔｈ２より大きい場合、無線受信装置２０において再送間隔Ｔａで測定される回線品質の変動が激しく、再送間隔Ｔａで測定される回線品質が著しく異なると推定される。このように、無線通信端末の移動速度により推定した通り、再送間隔Ｔａにおける回線品質の変動が激しい場合、ＨＡＲＱ−ＣＣモードを選択することが好ましい。したがって、無線通信品質の移動速度が閾値Ｔｈ１より大きく、かつ、回線品質の変動値が閾値Ｔｈ２より大きい場合、再送制御部１６は、ＨＡＲＱ方式の動作モードとして、ＨＡＲＱ−ＩＲモードを選択する。
＜作用・効果＞
第２の実施形態に係る無線通信システムによれば、数秒間隔の移動速度取得間隔Ｔｂで取得される無線通信端末の移動速度に加えて、数ミリ秒間隔の再送間隔Ｔａで測定された回線品質の変動値に基づいて、ＨＡＲＱの動作モードを選択する。したがって、無線通信端末の移動速度が初回送信時と再送時との回線品質の実際の変動値に比例しない場合（例えば、見通し環境下での高速移動時など、無線通信端末の移動速度が速くても回線品質の変動値が低い場合）においても、実際の変動値に即した適切な動作モードを選択することができる。
【００８３】
また、第２の実施形態に係る無線通信システムによれば、無線通信端末の移動速度が第１の閾値よりも大きくても、回線品質の変動値が第２の閾値以下である場合、符号化利得が高いＨＡＲＱ−ＩＲモードを選択する。したがって、無線通信端末の移動速度が初回送信時と再送時との回線品質の実際の変動値に比例しない場合に、実際の変動値を考慮した最適な動作モードを選択できるので、システム全体でのスループットの改善効果を得ることができる。
【００８４】
さらに、第２の実施形態に係る無線通信システムによれば、数秒間隔の移動速度取得間隔Ｔｂでなくとも、無線受信装置２０から再送間隔Ｔａで通知される回線品質の変動値が、移動速度取得部１５で取得された無線通信端末の移動速度に比例しない場合は、ＨＡＲＱの動作モードの選択動作が開始される。したがって、数秒間隔の移動速度取得間隔Ｔｂで選択動作を行う場合よりも、より適切な動作モードを選択でき、かつ、数ミリ秒間隔の再送間隔Ｔａで選択動作を行う場合よりも動作モードの選択に係る無線送信装置１０の処理負荷を軽減することができる。
【００８５】
［変形例２］
次に、本発明の第２の実施形態の変形例２について、第２の実施形態との相違点を中心に説明する。第２の実施形態に係る無線通信システムでは、無線送信装置１０が、無線通信端末の移動速度及び回線品質変動情報に基づいてＨＡＲＱ方式の動作モードを選択した。変形例２に係る無線通信システムでは、無線受信装置２０が、無線通信端末の移動速度及び回線品質変動情報に基づいてＨＡＲＱ方式の動作モードを選択する点で、第１の実施形態と異なる。
【００８６】
＜無線受信装置２０の機能構成＞
図１１は、変形例２に係る無線受信装置の機能構成図である。図１１に示すように、変更例２に係る無線受信装置２０は、第２の実施形態に係る無線受信装置２０（図９参照）とは異なり、移動速度取得部２４を備える。
【００８７】
判定部２３は、第２の実施形態に係る再送制御部１６と同様に、無線通信端末の移動速度と、回線品質測定部２５で計算された回線品質変動情報に基づいて、ＨＡＲＱ方式の動作モードを選択する。判定部２３は、選択されたＨＡＲＱ方式の動作モードを、動作モード情報として無線送信装置１０に通知する。
【００８８】
変更例２に係る無線通信システムにおいて、無線受信装置２０がＨＡＲＱ方式の動作モードを選択する動作については、図１０に示す動作と同様であるため、説明を省略する。
【００８９】
［その他の実施形態］
本発明は上述した実施形態によって説明したが、この開示の一部をなす文、式および図面は、この発明を限定するものであると理解すべきではない。この開示から当業者には様々な代替実施形態、実施例および運用技術が明らかとなろう。
【００９０】
例えば、上述の実施形態では、移動速度取得部１５及び移動速度取得部２４によって取得される無線通信端末の移動速度は、無線通信端末が備えるＧＰＳ機能により周期的に測定された位置情報によって計算されるという説明を行った。しかしながら、これに限定されるものではなく、無線基地局と交信された固有の信号を用いて測定された位置情報、或いは、無線通信端末が測定した回線品質情報を用いて導出されたドップラー周波数情報等によって、無線通信端末の移動速度が計算されてもよい。
【００９１】
上述した第２の実施形態では、無線受信装置２０の回線品質測定部２５は、再送間隔Ｔａで測定される回線品質に基づいて回線品質の変動値を計算し、計算した回線品質の変動値を無線送信装置１０に通知するという説明を行った。しかしながら、これに限られるものではなく、回線品質測定部２５は、再送間隔Ｔａで測定される回線品質を無線送信装置１０に通知し、無線送信装置１０が上述の方法を用いて回線品質の変動値を計算してもよい。
【００９２】
また、上述した第２の実施形態では、無線受信装置２０の回線品質測定部２５は、再送間隔Ｔａで回線品質の変動値を無線送信装置１０に通知し、無線送信装置１０の再送制御部１６は、回線品質の変動値が移動速度取得部１５で取得された無線通信端末の移動速度が比例しない場合に、移動速度取得間隔Ｔｂ以外にも図１０に示す動作を行うという説明を行った。しかしながら、これに限られるものではなく、無線受信装置２０の回線品質測定部２５は、移動速度取得間隔Ｔｂ以外に、再送間隔Ｔａではなく、回線品質の変動値が移動速度取得部１５で取得された無線通信端末の移動速度が比例しない場合に、回線品質の変動値を無線送信装置１０に通知してもよい。かかる場合、無線送信装置１０の再送制御部１６は、無線受信装置２０から回線品質の変動値が通知された場合に、移動速度取得間隔Ｔｂ以外にも図１０に示す動作を行ってもよい。
【符号の説明】
【００９３】
１０…無線送信装置、１１…アンテナ、１２…データ部、１３…符号化部、１４…送信部、１５…移動速度取得部、１６…再送制御部、２０…無線受信装置、２１…アンテナ、２２…受信部、２３…判定部、２４…移動速度取得部、２５…回線品質測定部、Ｔｈ１、Ｔｈ２…閾値、Ｓ…システマチックビット、Ｐ、Ｐ１、Ｐ２…パリティビット、Ｔ１〜Ｔｎ…時間
【図１】
2011082869.tif 000003
【図２】
2011082869.tif 000004
【図３】
2011082869.tif 000005
【図４】
2011082869.tif 000006
【図５】
2011082869.tif 000007
【図６】
2011082869.tif 000008
【図７】
2011082869.tif 000009
【図８】
2011082869.tif 000010
【図９】
2011082869.tif 000011
【図１０】
2011082869.tif 000012
【図１１】
2011082869.tif 000013
【図１２】
2011082869.tif 000014